(57)【要約】【課題】  被検体への接触状態によらず、被検体に十分な光量を照射することのできる超音波プローブを提供すること。【解決手段】  被検体への接触状態に関する情報に基づき制御された光量の光を、複数の光出射端部から出力するように構成されているハンドヘルド型の超音波プローブ。【選択図】  図１
2018082999.tif 000002
【特許請求の範囲】
【請求項１】
ハンドヘルド型の超音波プローブであって、
被検体へ光を照射するための光出射部、
前記被検体への光の照射により発生する超音波を受信するための超音波受信部、
及び
前記被検体と前記超音波プローブとの接触状態に関する情報を取得する取得手段を備え、
前記光出射部は、出力される光量が独立して制御される複数の光出射端部を含み構成され、且つ
前記接触状態に関する情報に基づき制御された光量の光を、前記複数の光出射端部から出力するように構成されていることを特徴とするハンドヘルド型の超音波プローブ。
【請求項２】
前記超音波受信部は、複数の検出素子が少なくとも第１の方向に配列したアレイ探触子を含み構成され、且つ
前記光出射部は、少なくとも前記第１の方向に沿って並べられている前記複数の光出射端部を含み構成されていることを特徴とする請求項１に記載の超音波プローブ。
【請求項３】
前記第１の方向に配列した前記アレイ探触子の両側に、前記光出射端部がそれぞれ設けられており、且つ前記取得手段により取得された、前記接触状態に関する情報に基づき制御された光量の光を、前記アレイ探触子の両側に配置された前記光出射端部から出力するように構成されていることを特徴とする請求項２に記載の超音波プローブ。
【請求項４】
前記取得手段は、荷重センサ、あるいは変位センサを用いて前記接触状態に関する情報を取得するように構成されていることを特徴とする請求項１から３のいずれか１項に記載の超音波プローブ。
【請求項５】
前記取得手段は、前記被検体に対する前記超音波プローブの傾きに関する情報を取得する請求項１から４のいずれか１項に記載の超音波プローブ。
【請求項６】
前記取得手段は、前記第１の方向に配列したアレイ探触子の両側における、前記被検体との前記接触状態をそれぞれ取得する請求項２に記載の超音波プローブ。
【請求項７】
前記第１の方向に配列したアレイ探触子の両側において、前記接触状態が異なる場合には、接触状態が弱い方に配置されている前記光出射端部から出力される光の少なくとも一部を、他方に配置されている前記光出射端部側から出力できるように構成されている請求項６に記載の超音波プローブ。
【請求項８】
前記光出射部には、アレイ光源が前記超音波プローブ内に内蔵されていることを特徴とする請求項１から７のいずれか１項に記載の超音波プローブ。
【請求項９】
前記光出射部には、外部に設けられた光源からの光を光出射端部に導波するための導波手段が設けられていることを特徴とする請求項１から８のいずれか１項に記載の超音波プローブ。
【請求項１０】
前記検出素子が、圧電型トランスデューサであることを特徴とする請求項２に記載の超音波プローブ。
【請求項１１】
前記検出素子が、静電容量型トランスデューサであることを特徴とする請求項２に記載の超音波プローブ。
【請求項１２】
前記超音波受信部は、超音波を受信して電気信号を出力するように構成され、
前記電気信号に基づいて、前記被検体に関する情報を取得するように構成されていることを特徴とする請求項１から１１のいずれか１項に記載の超音波プローブ。
【請求項１３】
請求項１から１２のいずれか１項に記載のハンドヘルド型の超音波プローブと、前記接触状態に関する情報に基づく制御を行う為の処理部を備えたシステム。
【発明の詳細な説明】
【技術分野】
【０００１】
本発明はハンドヘルド型の超音波プローブに関する。
【背景技術】
【０００２】
被検体内の吸収係数などの光学特性値を求める方法の１つとして、超音波を利用した光音響トモグラフィー（Ｐｈｏｔｏ  Ａｃｏｕｓｔｉｃ  Ｔｏｍｏｇｒａｐｈｙ、以下、ＰＡＴと略す）がある。ＰＡＴを利用した装置（以下、光音響装置と略す）は、少なくとも光源およびプローブ（探触子）とを有する。
【０００３】
まず、光源から発生したパルス光が生体に照射されると、光は被検体内を拡散しながら伝搬する。被検体内の光吸収体は、伝搬してきた光を吸収して光音響波（典型的には超音波）を発生する。この光音響波を探触子して検出信号を出力し、検出信号を解析することにより、被検体内の光吸収体に起因した初期音圧分布を得ることができる。ＰＡＴにおいて光吸収により被検体内の光吸収体から得られる超音波の音圧Ｐは次式で表すことができる。
【０００４】
Ｐ＝Г・μａ・Φ      （１）
上記式（１）において、Ｐは初期音圧である。Гは弾性特性値であるグリューナイゼン係数であり、体積膨張係数βと音速ｃの二乗の積を比熱Ｃｐで割ったものである。μａは光吸収体の吸収係数、Φは光吸収体に吸収される光量である。この式から分かるように、任意の位置の初期音圧に対して、その位置に到達する光量を考慮することにより、吸収係数を得ることができる。吸収係数は光吸収体によって異なるため、被検体の吸収係数の分布を得ることで、被検体を構成する光吸収体の分布、例えば血管の分布などがわかる。
【０００５】
特許文献１には、音響波検出部の傾斜と同期して、発光素子の光軸を傾斜させる機構を備えた光音響探触子が開示されている。具体的には、音響波検出部の両側面に、発光素子を備えた光源部が設けられ、音響波検出部の傾きに合わせて、光源部の傾きが変わることで、発光素子の光軸の傾きが変わる構成が開示されている。
【先行技術文献】
【特許文献】
【０００６】
【特許文献１】特開２０１６−４９１９１号公報
【発明の概要】
【発明が解決しようとする課題】
【０００７】
しかし、本発明者らは、特許文献１に開示の光音響探触子には課題が生じることを見いだした。すなわち、音響波検出部を大きく傾けた場合や、腕など曲率の高い被検体を観測対象とする場合、一方の光源部が被検体と非接触状態になり、一方の光源部からの光が被検体に照射されず、被検体に照射される光量が低下する、という課題が生じる。
【０００８】
そこで、本発明は被検体への接触状態によらず、被検体に十分な光量を照射することのできる超音波プローブを提供することを目的とする。
【課題を解決するための手段】
【０００９】
本発明に係るハンドヘルド型の超音波プローブは、被検体へ光を照射するための光出射部、前記被検体への光の照射により発生する超音波を受信するための超音波受信部、
及び前記被検体と前記超音波プローブとの接触状態に関する情報を取得する取得手段を備え、前記光出射部は、出力される光量が独立して制御される複数の光出射端部を含み構成され、且つ前記接触状態に関する情報に基づき制御された光量の光を、前記複数の光出射端部から出力するように構成されていることを特徴とする。
【発明の効果】
【００１０】
本発明に係る超音波プローブによれば、被検体への接触状態によらず、被検体に十分な光強度の光を照射することができる。
【図面の簡単な説明】
【００１１】
【図１】本発明の実施形態に係る超音波プローブを示す図
【図２】本発明の第一の実施形態に係る超音波プローブ
【図３】従来の超音波プローブの課題を示す図
【図４】光源を外部に配置した本発明の第一の実施形態による超音波プローブ
【図５】本発明の第二の実施形態に係る超音波プローブ
【図６】曲率の大きい被検体での、本発明の第二の実施形態に係る超音波プローブ
【図７】本発明の第三の実施形態に係る超音波プローブ
【図８】本発明の実施形態に係る超音波プローブの断面図
【発明を実施するための形態】
【００１２】
以下、本発明の実施形態の超音波プローブを図１に示すが、一例であり、これらに限られない。本実施形態に係る超音波プローブ１００は、被検体１０３へ光を照射するための光出射部１０１、被検体１０３への光の照射により発生する超音波を受信するための超音波受信部１０２を備える。さらに、被検体１０３と超音波プローブ１００との接触状態に関する情報を取得する取得手段１０４を備え、光出射部１０１は、出力される光量（光強度）が独立して制御される複数の光出射端部１０５ａ、１０５ｂを含み構成されている。そして、取得手段１０４で取得した接触状態に関する情報に基づき制御された光量の光を、複数の光出射端部１０５ａ、１０５ｂから出力するように構成されている。
【００１３】
被検体１０３と超音波プローブ１００との接触状態に関する情報に基づいて、被検体１０３に照射する光量を調整できるため、被検体１０３への接触状態によらず、被検体に十分な光量の光を照射できる。例えば、被検体１０３に対して、超音波プローブ１００が傾くなどして、一部が非接触状態となった場合、被検体１０３に照射される光量が減り、被検体の情報を取得するために十分な超音波を発生させられないことがある。そこで、超音波プローブ１００が被検体１０３に対して非接触状態である、接触が十分でない、などの接触状態に関する情報に基づいて、光出射端部１０５ａ、ｂから出る光の光量を増やすなどの制御を行う。その結果、被検体１０３に照射される光量を十分なものとすることができ、被検体に関する情報を得るための十分な超音波を発生させ、検出することができる。
【００１４】
本発明の実施形態に係る超音波プローブ１００において、接触状態に関する情報とは、超音波プローブが被検体１０３に接触状態にあるか非接触状態にあるかという情報だけでなく、接触の強さ（程度）も含む概念である。
【００１５】
また、接触状態に関する情報を取得する取得手段１０４として、被検体１０３が超音波プローブ１００に押し付けられる際の接触圧を検出するセンサ（荷重センサ）、接触の強さの変化に伴う変位を検出する変位センサ等を含む手段が挙げられる。また、取得手段１０４は、超音波プローブ１００の被検体１０３に接する面の全体が、被検体に接している状態から、非接触の状態に変わるにつれて生じる超音波プローブ１００の傾きの変化に関する情報を取得する傾きセンサであってもよい。また、図１では接触状態に関する情報を取得する取得手段が２つ設けられている構成を示すが、１つでも良いし、３つ以上でも良い。
【００１６】
光出射部１０１は、それ自体が、光を発生させる光源を有していても良いし、別途設けられる光源から光を導光してきても良い。なお、光出射部１０１は、超音波プローブ１００の筐体内に設けられていてもよいし、超音波受信部１０２を備えた筐体に対して、着脱可能な構成であってもよい。光源の例としては、ＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）、固体レーザーなどが挙げられる。ＬＥＤやＬＤを光源として用いる場合、これらをアレイ状に配置したアレイ光源とすることで、大きな光出力を得ることが好ましい。ＬＥＤアレイやＬＤアレイといった小型なアレイ光源が超音波プローブ内に内蔵されていると、軽量かつ十分な光出力が得られる、といった観点から好ましい。
【００１７】
一方、さらに大きな光出力を得たい場合は、アレキサンドライトレーザ、チタンサファイアレーザー、ＯＰＯレーザーといった固体レーザーを光源として用いることが好ましい。光源として固体レーザーを用いる場合、外部に設けられた光源からの光を光出射端部に導波するための導波手段を設けることが好ましい。
【００１８】
ここで、本発明の実施形態において、光出射端部１０５、超音波検出部１０２、取得手段１０４の配置の一例を図８に示す。図８は、図１の超音波プローブ１００を、被検体１０３からみたときの超音波プローブ１００の断面図である。
【００１９】
図８（ａ）（ｂ）（ｃ）は、超音波受信部１０２が、複数の検出素子１０２’を有し、検出素子１０２’少なくとも第１の方向に配列したアレイ探触子（１０２）を含み構成された例である。光出射部１０１は、少なくとも第１の方向に沿って並べられている複数の光出射端部１０５ａ、ｂを含み構成されている。図８（ａ）は、第１の方向に配列したアレイ探触子（１０２）の両側に、光出射端部１０５ａ，ｂ、及び取得手段１０４ａ、ｂがそれぞれ設けられた例である。図８（ａ）の例では、取得手段１０４ａ、ｂにより取得された、接触状態に関する情報に基づき制御された光量の光を、光出射端部１０５ａ、ｂから出力するように構成されている。例えば、取得手段１０４ａが、超音波プローブ１００の被検体１０３に対する接触状態を取得した結果、非接触状態であることが検出された場合に、光出射端部１０５ａから出る光が被検体１０３に十分に照射されない可能性がある。そこで、光出射端部１０５ｂから出る光の光量を増やし、１０５ａから照射されなかった分の光量を補うことで、被検体１０３に照射される光を十分なものとすることができる。
【００２０】
第１の方向に配列したアレイ探触子の両側において、接触状態が異なる場合には、接触状態が弱い方に配置されている光出射端部から出力される光の少なくとも一部を、他方に配置されている光出射端部側から出力できるように構成されていてもよい。
【００２１】
なお、図８（ｂ）のように、取得手段１０４はアレイ探触子（超音波受信部１０２）の片側に設けられた構成でもよい。また、図８（ｃ）のように、光出射端部１０５ａ、ｂアレイ探触子（超音波受信部１０２）の片側に設けられた構成でもよい。
【００２２】
（第一の実施形態）
本発明の第一の実施形態に係るハンドヘルド型の超音波プローブ装置を図２に示す。本実施形態では、プローブの両側面にアレイ光源１０６（１０６ａ、１０６ｂ）が設けられ、光源から発せられた光は導光路１０７により光出射端部１０５（１０５ａ、１０５ｂ）に導光される。アレイ光源１０６としては、ＬＥＤアレイ、及びＬＤアレイの少なくともいずれか一方を有する。
【００２３】
被検体１０３に超音波プローブ１００が適切に押し当てられた後、被検体１０３に向けて光が出射される。光源１０６は光源制御部１１０により光の出射のオン／オフや光強度が制御される。光を受けて被検体内で発生した音響波は超音波受信部１０２にて受信されて電気信号として出力された後、信号処理部１０９に送られ、被検体に関する情報が取得される。光音響効果を利用した装置の場合、取得される被検体に関する情報とは、光照射によって生じた音響波の発生源分布、被検体内の初期音圧分布、あるいは初期音圧分布から導かれる光エネルギー吸収密度分布や吸収係数分布、組織を構成する物質の濃度分布を示す。物質の濃度分布とは、例えば、酸素飽和度分布、トータルヘモグロビン濃度分布、酸化・還元ヘモグロビン濃度分布などである。
【００２４】
本実施形態における超音波プローブ装置はさらに、ユーザ（主に医療従事者などの検査者）が装置に対して撮像開始などの指示や撮像に必要なパラメータを入力するための操作部１１４、取得された被検体情報を画像化する画像構成部１１３を備える。また、生成された画像や装置を操作するためのユーザインターフェース（ＵＩ）を表示する表示部１１２を備える。
【００２５】
本実施形態における超音波プローブ装置はさらに、操作部１１４を介したユーザの各種操作を受け付け、目的とする被検体に関する情報を生成するのに必要な制御情報を生成し、システムバス１１９を介して各機能を制御する制御プロセッサ１１１を備える。また、取得した光音響波デジタル信号や生成した画像、その他動作に関する情報を記憶する記憶部１１５を備える。
【００２６】
本実施形態に係る超音波プローブは、接触状態に応じた被検体に照射する光強度を調整できるため、被検体への接触状態によらず、被検体に十分な光強度の光を照射できる。
【００２７】
以下、本実施形態に係る超音波プローブを構成する各部位の詳細を示す。
【００２８】
（光源）
本実施形態における光源１０６からは、生体を構成する成分のうち特定の成分に吸収される波長のパルス光が照射される。本実施形態において使用する波長は、被検体の内部まで光が伝搬する波長であることが望ましい。具体的には、被検体が生体の場合、６００ｎｍ以上１１００ｎｍ以下である。また効率的に光音響波を発生させるために、パルス幅は１０〜１００ナノ秒程度が好適である。光源としては大出力が得られるレーザーが好ましいが、レーザーの代わりに発光ダイオード（ＬＥＤ）やフラッシュランプ等を用いることもできる。レーザーとしては、固体レーザー、ガスレーザー、色素レーザー、半導体レーザーなど様々なレーザーを使用できる。照射のタイミング、波形、強度等は光源制御部によって制御される。なお、この光源制御部は光源と一体化されていても良い。また、光源は本実施形態の光音響装置と別体として設けられていても良い。
【００２９】
なお、本実施形態における光源は、複数の波長の光を出射可能な光源であってもよい。
【００３０】
（超音波受信部）
本実施形態における超音波受信部１０２には検出素子が配置され、パルス光により生体表面及び生体内部で発生する光音響波を検出して検出信号を出力する。検出素子は、光音響波を電気信号に変換するためのものである。圧電現象を用いた検出素子、光の共振を用いた検出素子、静電容量の変化を用いた検出素子など、光音響波を検出できるものであればどのような検出素子を用いてもよい。圧電現象を用いた圧電型トランスデューサとしては、Ｐｉｅｚｏ  ｍｉｃｒｏｍａｃｈｉｎｅｄ  ｕｌｔｒａｓｏｎｉｃ  ｔｒａｎｓｄｕｃｅｒｓ  （ＰＭＵＴ）が挙げられる。また、静電容量の変化を用いた静電容量型トランスデューサとしては、Ｃａｐａｃｉｔｉｖｅ  ｍｉｃｒｏｍａｃｈｉｎｅｄ  ｕｌｔｒａｓｏｎｉｃ  ｔｒａｎｓｄｕｃｅｒｓ  （ＣＭＵＴ）が挙げられる。ＣＭＵＴは、広い周波数帯域の光音響波を検出できるため、検出素子としてより好ましい。
【００３１】
高解像な光音響画像を得るために、複数の検出素子を２次元または３次元に配列して走査させることが望ましい。被検体や保持部の表面で反射した光や、被検体内部を散乱して被検体から出てきた光を再び被検体に戻すために、探触子の表面に金膜などの反射膜を設けていても良い。
【００３２】
（信号処理部）
本実施形態における信号処理部１０９は、超音波受信部１０２が生成した光音響波信号を増幅してデジタル信号である光音響波デジタル信号に変換する。超音波受信部１０２が生成したアナログ信号を増幅する図示しない信号増幅部と、アナログ信号をデジタル信号に変換する図示しないＡ／Ｄ変換部などから構成される。
【００３３】
さらに光音響波デジタル信号に対して、超音波受信部１０２の感度ばらつき補正や、物理的または電気的に欠損した振動子の補完処理などを行う。さらに信号処理部１０９は、ノイズ低減のための積算処理などを行うこともできる。被検体１０３の内部の光吸収物質が発する光音響波を検出して得られる光音響信号は一般的に微弱な信号である。積算処理により、被検体１０３に対して同じ位置で繰り返し取得した光音響波信号に積算平均処理を適用することでシステムノイズを低減して光音響波信号のＳ／Ｎを向上させることができる。
【００３４】
（制御プロセッサ）
本実施形態における制御プロセッサ１１１は、プログラム動作における基本的なリソースの制御と管理などを行うオペレーティングシステム（ＯＳ）を稼働させるとともに、記憶部１１５に格納されたプログラムコードを読み出し、以後記述する機能を実行する。また操作部１１４を介したユーザからの撮像開始などの各種操作により発生するイベント通知を受けて被検体情報の取得動作を管理するとともに、システムバス１１９を介して各ハードウエアを制御する。制御プロセッサ１１１はさらに、目的とする被検体情報を生成するのに必要な光源１０６を制御するために、光源制御部１１０に指令を与える。制御プロセッサの例としてＣＰＵ等が挙げられる。
【００３５】
（操作部）
本実施形態における操作部１１４は、ユーザが、被検体情報の可視化範囲などの撮像に関するパラメータ設定や、撮像開始の指示など、その他、画像に関する画像処理操作を行うための入力装置である。一般的に、マウスやキーボード、タッチパネルなどで構成され、ユーザの操作に従って制御プロセッサ１１１上で動作しているＯＳなどのソフトウェアに対するイベント通知を行う。
【００３６】
（画像構成部）
本実施形態における画像構成部１１３は、取得した光音響波デジタル信号に基づいて、被検体内の組織情報を画像化して光音響波画像の任意の断層画像などの表示画像を構成する。また構成した画像に対して、輝度の補正や歪補正、注目領域の切り出しなどの各種補正処理を適用して、より診断に好ましい情報を構成する。また操作部１１４を介したユーザの操作に従って、光音響波画像の構成に関するパラメータや表示画像の調整などを行う。光音響波画像は、超音波受信部１０２より生成された３次元の光音響波のデジタル信号に対して画像再構成処理を行うことで得られ、音響インピーダンスなどの特性分布や、光学特性値分布などの被検体情報を可視化できる。画像再構成処理としては、例えば、トモグラフィー技術で一般に用いられるタイムドメインあるいはフーリエドメインでの逆投影、または整相加算処理などが用いられる。画像構成部１１３は、一般的に高性能な演算処理機能、グラフィック表示機能を有するＧＰＵ（Ｇｒａｐｈｉｃｓ  Ｐｒｏｃｅｓｓｉｎｇ  Ｕｎｉｔ）などを使用して構成される。これにより画像再構成処理や表示画像の構成に掛かる時間を短縮できる。
【００３７】
（表示部）
本実施形態における表示部１１２は、画像構成部１１３により構成された光音響波画像、そして画像や装置を操作するためのＵＩを表示する。例えば液晶ディスプレイが使用されるが、有機ＥＬ（Ｅｌｅｃｔｒｏ  Ｌｕｍｉｎｅｓｃｅｎｃｅ）など、どの方式のディスプレイであってもよい。
【００３８】
（記憶部）
本実施形態における記憶部１１５は、制御プロセッサ１１１が動作するのに必要なメモリ、被検体情報取得動作の中で一時的にデータを保持するメモリを含む。さらに、生成した光音響波画像、関連する被検体情報や診断情報などを記憶保持するハードディスクなどの記憶媒体を含み構成される。そして、以後記述する機能を実現するソフトウェアのプログラムコードを格納している。
【００３９】
（被検体（光吸収体））
被検体（光吸収体）は本実施形態に係る超音波プローブの一部を構成するものではないが、以下に説明する。光音響効果を用いた本実施形態に係る超音波プローブは、血管の撮影、人や動物の悪性腫瘍や血管疾患などの診断や化学治療の経過観察などを主な目的とする。被検体内部の光吸収体としては、使用する光の波長にもよるが、被検体内で相対的に吸収係数が高いものである。具体的には水や脂肪、タンパク質、酸化ヘモグロビン、還元ヘモグロビンなどが挙げられる。
【００４０】
ハンドヘルド型超音波プローブにおける課題を図３に示す。図３（ａ）は超音波プローブと被検体との隙間がなく、密着されて正しく押し当てられている状態を示す。一般的に、超音波プローブ１００と被検体１０３との間には、ゼリー状の音響的カップリング剤（音響マッチング剤）を塗布するのが一般的である。プローブと体内の間を、生体に近い固有音響インピーダンス（音速と密度の積）を持つゼリー状の物質で満たすことにより、空気の混入を避けて、プローブ１００と被検体１０３との間で音波が伝わり易くするようにする。このため検査時にはある程度のプローブの傾き（超音波プローブ１００と被検体１０３との隙間）は許容される。
【００４１】
超音波プローブ１００が被検体１０３に密着して当っている場合には、光出射端部１０５ａから発せられた光Ｌ１と、光出射端部１０５ｂから発せられた光Ｌ２の光量はほぼ均等に被検体１０３に入射させることができる。その結果、被検体１０３からの超音波Ｕの信号レベルを適正に保つことが出来る。
【００４２】
しかし、図３（ｂ）に示すように、傾きが許容値を超え、被検体１０３と超音波プローブ１００とが非接触状態になると、プローブ１００と被検体１０３との隙間への空気の混入しうる。その結果、隙間の出来た側（光出射端部１０５ａ）から発せられた光Ｌ１の光量が低下してしまうため、被検体１０３へ入射される総光量が低下し、結果として超音波Ｕの信号レベルが低下するため正しい光音響画像が得られない可能性がある。
【００４３】
本実施形態に係る超音波プローブ１００が被検体１０３に、平行に密着して押し当てられているかは、超音波プローブ１００の両側面に設けられた接触状態に関する情報を取得する取得手段１０４ａ、１０４ｂからの情報により判定することが出来る。取得手段１０４としては、プローブ先端に、機械式スイッチや、荷重センサ、変位センサなど隙間が空いたことを検出する手段であればよい。
【００４４】
次に光量を適正に保つための動作を説明する。図２に示すように接触状態に関する情報を取得する取得手段１０４ａおよび１０４ｂからの信号は、制御プロセッサ１１１に取り込まれ、接触状態が検出されると共にプローブ１００がどちらに傾いているかの傾斜方向などの演算が行われる。図３（ｂ）に示すように、一方の取得手段１０４ｂが被検体１０３に正しく接触していることを検知し、他方の取得手段１０４ａにて隙間があいていることを検知した場合には、光源制御部１１０に光源１０６ｂの出力を上げるように指令が出力される。
【００４５】
また、被検体１０３の表面の形状によっては、接触状態のオン／オフが頻繁に切り替わることが想定されるが、取得手段１０４からの信号を取り込む制御プロセッサ１１１内に、頻繁に切り替わることを防止するヒステリシス回路を設けることで対策出来る。また、ヒステリシス回路でも対策出来ないような被検体の場合では、光源の光量の調整機能を解除して、光量を一定にして、光音響信号を取得する機能も持たせることで対応可能となる。
【００４６】
このように、左右の光源１０６ａおよび１０６ｂの出力を調整して被検体１０３に照射する場合、光量調整に応じて被検体１０３の表面に照射する光量（分布）を参照するテーブルを画像構成部１１３に設けておく。テーブルから左右の光源からの光量を読み取り生体内部の光量分布を算出し、光量分布から受信信号の定量情報（酸素飽和度分布、トータルヘモグロビン濃度分布、酸化・還元ヘモグロビン濃度分布）などを算出し、表示部１１２に表示する。
【００４７】
ここで注意が必要なのは、一方の光源の出力のみを増大させる場合、光源の熱がプローブ１００の内部にこもり、電気部品の故障や被検体（被験者）が火傷などをおってしまう恐れがある。図４に、外部に設けられた光源１０６からの光を光出射端部に導波するための導波手段１０８を備えた超音波プローブを示す。導波手段１０８の例として光ファイバ等が挙げられる。光源を外部に設けた場合、熱源をプローブ１００から遠ざけることで熱設計が容易となり、また光源のメンテナンスが容易になるなどの利点がある。
【００４８】
本構成によれば、光Ｌ１で光量が低下した分を補うように、光量Ｌ２を上昇させることができ、被検体に入射される光量を確保することが出来き、被検体１０３からの超音波Ｕの信号レベルを適正に保つことで良質な画像を得ることが出来る。
【００４９】
（第二の実施形態）
本発明の第二の実施形態に係るハンドヘルド型の超音波プローブを図５に示す。超音波プローブ１００に超音波受信部１０２が設けられ、その両側に光源１０６ａ及び１０６ｂ、及び導光路１０７ａ及び１０７ｂ、光出射端部１０５ａ及び１０５ｂを設ける。更に両側の導光路を接続する導光路１０７ｃを設け、導光路切替え手段１１６（１１６ａ、１１６ｂ）により、両側の光源から光出射端部までの光路を切り換え可能に構成されている。
【００５０】
次に本実施形態に係る超音波プローブ１００から被検体に向けて照射される光の光量を適正に保つための動作を説明する。図５に示すように接触状態に関する情報を取得する取得手段１０４ａ及び１０４ｂからの信号により、接触状態が検出されると共にプローブ１００がどちらに傾いているかの傾斜方向などの演算が行われる。図５に示すように、一方の取得手段１０４ｂが被検体１０３に正しく接触していることを検知し、他方の取得手段１０４ａにて隙間があいていることを検知した場合を例に動作を説明する。
【００５１】
この場合、プローブ１００と被検体１０３との間には隙間が出来ているので、光出射端部１０５ａからの光は減衰が大きくなる。そこで導光路切替え手段１１６を制御プロセッサ（不図示）により適切に切替え、被検体に接触しない側の光源１０６ａからの光を導光路１０７ｃを介して、被検体に接触している側の光出射端部１０５ｂに導く。プローブの傾きが上記例とは逆となる場合には導光路切替え手段１１６を用いて、導光光路を適切に切替え、光源１０６ｂからの光を導光路１０７ｃを介して、光出射端部１０５ａに導くことも可能である。本例では、上述第一の実施形態とは異なり、一方の光源の出力を増大させて光量を確保する必要がないため、プローブ１００の内部に生じる熱は増大しにくい。そこで、図６に示すように曲率の高い被検体（腕など）を観測対象とする場合、光出射端部１０５の一方しか接触できない場合でも、一方の光源からの光を他方の光出射端部に導光出来るため、被検体への光量を確保できるという効果がある。
【００５２】
本実施形態では、片方の光源からの光を全て他方の光出射端部に導光する例を説明したが、導光路切替え手段１１６に調光器などを使うことができる。調光器などを用いることで、光の一部のみを他方の光出射端部に導光することも可能であり、接触状態に応じて段階的に光量を分配することも可能である。
【００５３】
本構成によれば、被検体に接触していない側の光源１０６ａからの光を、被検体に接触している側の光出射端部より出射することが可能となる。その結果、被検体に入射される光量を確保することが出来き、被検体１０３からの超音波Ｕの信号レベルを適正に保つことで被検体に関する良質な画像を得ることが出来る。
【００５４】
（第三の実施形態）
本発明の第三の実施形態に係るハンドヘルド型の超音波プローブを図７（ａ）に、超音波プローブを被検体側から見た図を図７（ｂ）に示す。プローブの両側に光源１０６ａ及び１０６ｂ、及び導光路１０７ａ及び１０７ｂ、光出射端部１０５ａ及び１０５ｂを設ける。更に両側の導光路を接続する導光路１０７ｃを設け、導光路切替え手段１１６により、両側光源から光出射端部までの光路を切り換え可能とした。
【００５５】
次に光量を適正に保つための動作を説明する。図７に示すように接触状態に関する情報を取得する取得手段１０４ａ及び１０４ｂからの信号により、接触状態が検出されると共にプローブ１００がどちらに傾いているかの傾斜方向などの演算が行われる。図７に示すように、一方の取得手段１０４ｂが被検体１０３に正しく接触していることを検知し、他方の取得手段１０４ａにて隙間があいていることを検知した場合を例に動作を説明する。
【００５６】
この場合、プローブ１００と被検体１０３との間には隙間が出来ているので、光出射端部１０５ａからの光は減衰が大きくなる。そこで、光出射端部１０５ａにシャッターガイド部１１８に支持されたシャッター１１７を設けて、隙間が出来た側の光が外部に漏れないように、シャッターをコントローラ（不図示）にて駆動し光出射端部１０５ａから被検体に向けて照射される光を遮断する。更にシャッターの上面（超音波プローブ側）には光を反射するためのミラーまたはコーナーキューブを設け、光源１０６ａからの光を、導光路切替え手段１１６を適切に切替えることで、反対側の光出射端部１０５ｂに導光することができる。
【００５７】
本構成によれば、被検体に接触していない側の光源１０６ａからの光を、外部に漏れないように遮断することが可能となり安全性が向上できる。更に被検体に接触している側の光出射端部より出射することが可能となり、その結果、被検体に入射される光量を確保することができ、被検体１０３からの超音波Ｕの信号レベルを適正に保つことで良質な画像を得ることが出来る。
【符号の説明】
【００５８】
１００  超音波プローブ
１０１  光出射部
１０２  超音波受信部
１０３  被検体
１０４ａ、１０４ｂ  取得手段
１０５ａ、１０５ｂ  光出射端部
１０６ａ、１０６ｂ  光源
１０７ａ、１０７ｂ、１０７ｃ  導光路
１０８ａ、１０８ｂ  導波手段
１０９  信号処理部
１１０  光源制御部
１１１  制御プロセッサ
１１２  表示部
１１３  画像構成部
１１４  操作部
１１５  記憶部
１１６ａ、１１６ｂ  導光路切替え手段
１１７ａ、１１７ｂ  シャッター
１１８  シャッターガイド部
１１９  システムバス
【図１】
2018082999.tif 000003
【図２】
2018082999.tif 000004
【図３】
2018082999.tif 000005
【図４】
2018082999.tif 000006
【図５】
2018082999.tif 000007
【図６】
2018082999.tif 000008
【図７】
2018082999.tif 000009
【図８】
2018082999.tif 000010